(57)【要約】【課題】天井仕上げ材を取り付けることなく天井スラブを構築することができ、天井仕上げ工事を省くことができるデッキプレートを提供する。【解決手段】デッキプレート１０Ａは、前後方向へ延びる両側縁部１５ａ，１５ｂおよび幅方向へ延びる両端縁部１６ａ，１６ｂを有する所定面積の金属ベース１２と、金属ベース１２の上面１７に設置、固定され、金属ベース１２の両端縁部１６ａ，１６ｂの間に位置して前後方向へ延びる鉄筋トラス１３と、ガラス繊維を織り込むことから作られて金属ベース１２の下面１８全域に固着された所定面積のガラスクロス１４とから形成されている。デッキプレート１０Ａでは、ガラスクロス１４が天井スラブの天井面を形成する。【選択図】図１
2019123996.tif 000002
【特許請求の範囲】
【請求項１】
鉄筋コンクリート建造物の天井スラブまたは壁の構築に使用するデッキプレートにおいて、
前記デッキプレートが、前後方向へ延びる両側縁部および幅方向へ延びる両端縁部を有する所定面積の金属ベースと、前記金属ベースの上面に設置、固定され、該金属ベースの両端縁部の間に位置して前後方向へ延びる少なくとも１つの鉄筋トラスと、所定面積の壁紙またはガラス繊維を織り込むことから作られた所定面積のガラスクロスとから形成され、前記壁紙または前記ガラスクロスが、前記金属ベースの下面全域に固着されて前記天井スラブの天井面または前記壁の壁面を形成することを特徴とするデッキプレート。
【請求項２】
前記金属ベースが、その両側縁部の間に所定間隔離間して形成されて前後方向へ延びるとともに該金属ベースの上面から上方へ凸となる複数の凸部を有し、前記鉄筋トラスが、前記金属ベースの上面から上方へ離間して前後方向へ延びる上端筋と、前記金属ベースの上面と前記上端筋との間に位置して前後方向へ延びる一対の下端筋と、前記金属ベースの上面と前記上端筋との間で上下方向へ波状に曲折を繰り返しながら前後方向へ延びる一対の第１および第２ラチス筋とから形成され、前記ラチス筋の上端凸部が、前記上端筋に溶接固定され、前記ラチス筋の中間部が、前記下端筋に溶接固定され、前記ラチス筋の下端凹部が、前記凸部に溶接固定され、前記壁紙または前記ガラスクロスが、前記凸部に入り込んだ状態で前記金属ベースの下面に固着されている請求項１に記載のデッキプレート。
【請求項３】
前記金属ベースが、その両側縁部の間に所定間隔離間して形成されて前後方向へ延びるとともに該金属ベースの上面から上方へ凸となる複数の凸部を有し、前記鉄筋トラスが、前記金属ベースの上面から上方へ離間して前後方向へ延びる上端筋と、前記金属ベースの上面と前記上端筋との間に位置して前後方向へ延びる一対の下端筋と、前記金属ベースの上面と前記上端筋との間で上下方向へ波状に曲折を繰り返しながら前後方向へ延びる一対の第１および第２ラチス筋とから形成され、前記ラチス筋の上端凸部が、前記上端筋に溶接固定され、前記ラチス筋の中間部が、前記下端筋に溶接固定され、前記ラチス筋の下端凹部が、前記凸部に溶接固定され、前記壁紙または前記ガラスクロスが、前記凸部を覆い隠すように前記金属ベースの下面に固着されている請求項１に記載のデッキプレート。
【請求項４】
鉄筋コンクリート建造物の天井スラブまたは壁の構築に使用するデッキプレートにおいて、
前記デッキプレートが、前後方向へ延びる両側縁部および幅方向へ延びる両端縁部を有する所定面積の金属ベースと、前記金属ベースの上面に設置、固定され、該金属ベースの両端縁部の間に位置して前後方向へ延びる少なくとも１つの鉄筋トラスと、前記金属ベースの下面全域に固着された所定面積および所定厚みのグラスウールと、所定面積の壁紙またはガラス繊維を織り込むことから作られた所定面積のガラスクロスとから形成され、前記壁紙また前記ガラスクロスが、前記グラスウールの下面全域に固着されて前記天井スラブの天井面または前記壁の壁面を形成することを特徴とするデッキプレート。
【請求項５】
前記金属ベースが、その両側縁部の間に所定間隔離間して形成されて前後方向へ延びるとともに該金属ベースの上面から上方へ凸となる複数の凸部を有し、前記鉄筋トラスが、前記金属ベースの上面から上方へ離間して前後方向へ延びる上端筋と、前記金属ベースの上面と前記上端筋との間に位置して前後方向へ延びる一対の下端筋と、前記金属ベースの上面と前記上端筋との間で上下方向へ波状に曲折を繰り返しながら前後方向へ延びる一対の第１および第２ラチス筋とから形成され、前記ラチス筋の上端凸部が、前記上端筋に溶接固定され、前記ラチス筋の中間部が、前記下端筋に溶接固定され、前記ラチス筋の下端凹部が、前記凸部に溶接固定されている請求項４に記載のデッキプレート。
【請求項６】
前記金属ベースが、その一方の側縁部に形成されて該一方の側縁部を該金属ベースの上面の側に向かって折り曲げることから作られた第１係合部と、その他方の側縁部に形成されて該他方の側縁部を該金属ベースの下面の側に向かって折り曲げることから作られた第２係合部とを有し、前記壁紙または前記ガラスクロスが、前記第１係合部と前記第２係合部とにおける金属ベースの下面に固着されている請求項１ないし請求項５いずれかに記載のデッキプレート。
【請求項７】
前記ガラスクロスが、前記ガラス繊維を織り込んだ所定の幅寸法を有する縦織布と該ガラス繊維を織り込んだ所定の幅寸法を有する横織布とを織り込むことから作られ、所定の光反射率を有して前記天井スラブに設置された天井光源の光または前記壁に設置された壁光源の光を拡散する請求項１ないし請求項６いずれかに記載のデッキプレート。
【請求項８】
前記ガラスクロスが、所定厚みを有して吸音材としての機能を有するとともに断熱材としての機能を有する請求項１ないし請求項７いずれかに記載のデッキプレート。
【発明の詳細な説明】
【技術分野】
【０００１】
本発明は、鉄筋コンクリート建造物の天井スラブまたは壁の構築に使用するデッキプレートに関する。
【背景技術】
【０００２】
前後方向へ延びる両側縁部および幅方向へ延びる両端縁部を有する所定面積の鉄板と、鉄板の上面に設置されて前後方向へ延びる複数の鉄筋トラスと、鉄板の上面に位置して横方向へ延びていて前後方向へ所定寸法離間して並ぶ複数の横筋とを備えたデッキプレートが開示されている（特許文献１参照）。鉄板は、その上面から上方へ凸となって前後方向へ延びる複数の凸条を有する。鉄筋トラスは、横方向へ並ぶ一対の凸条の間であって鉄板の上面から上方に位置して前後方向へ延びる上端筋と、一対の凸条の間であって鉄板と上端筋との間に位置して前後方向へ延びる一対の下端筋と、一対の凸条の間であって鉄板と上端筋との間で上下方向へ波状に曲折を繰り返しながら前後方向へ延びる一対のラチス筋とから形成されている。
【０００３】
それらラチス筋は、上端筋に当接して凸状に曲折する上端凸部と、金属ベースの上面に当接して凹状に曲折する下端凹部とを有し、上端凸部から下端凹部に向かって横方向外方へ末広がりになっている。デッキプレートでは、それらラチス筋の上端凸部が上端筋にスポット溶接され、それらラチス筋の中間部が下端筋にスポット溶接され、それら横筋がそれらラチス筋の下端凹部に配置されて鉄板に作られた凸条にスポット溶接され、それらラチス筋の下端凹部が鉄板の上面とそれら横筋とに挟まれている。
【先行技術文献】
【特許文献】
【０００４】
【特許文献１】特開２０１３−１６３９１４号公報
【発明の概要】
【発明が解決しようとする課題】
【０００５】
前記特許文献１に開示のデッキプレートを利用して鉄筋コンクリート建造物の天井スラブを構築する場合、デッキプレートに複数の吊りボルトを設置し、その吊りボルトに化粧合板や石膏ボード、アルミパネル等の天井仕上げ材を取り付けなければならず、天井仕上げ工事が別途必要になり、そのための手間やコストがかかる。なお、吊りボルトを利用して天井仕上げ材を取り付けた吊り天井構造では、地震等による揺れが発生したときに天井仕上げ材が落下する天井落下事故が発生する場合がある。また、このデッキプレートを利用して鉄筋コンクリート建造物の壁を構築する場合、各種の壁材をデッキプレートの鉄板に取り付けなければならず、壁仕上げ工事が別途必要になり、そのための手間やコストがかかる。さらに、このデッキプレートは、それが鉄板と鉄筋トラスとから形成され、吸音機能や断熱機能が付与されることはないから、デッキプレートを使用して構築された天井スラブや壁に吸音効果や断熱効果を発揮させることができない。
【０００６】
本発明の目的は、吊りボルトに化粧合板や石膏ボード、アルミパネル等の天井仕上げ材を取り付けることなく天井スラブを構築することができるとともに、壁材を取り付けることなく壁を構築することができ、天井仕上げ工事や壁仕上げ工事を省くことができるデッキプレートを提供することにある。本発明の他の目的は、地震等による揺れが発生したとしても、落下の危険がなく、天井落下事故の発生を防ぐことが可能な天井スラブを構築することができるデッキプレートを提供することにある。本発明の他の目的は、吸音機能および断熱機能を備え、吸音効果および断熱効果を発揮する天井スラブた壁を構築することができるデッキプレートを提供することにある。
【課題を解決するための手段】
【０００７】
前記課題を解決するための本発明の前提は、鉄筋コンクリート建造物の天井スラブまたは壁の構築に使用するデッキプレートである。
【０００８】
前記前提における本発明の第１の特徴は、デッキプレートが、前後方向へ延びる両側縁部および幅方向へ延びる両端縁部を有する所定面積の金属ベースと、金属ベースの上面に設置、固定され、金属ベースの両端縁部の間に位置して前後方向へ延びる少なくとも１つの鉄筋トラスと、所定面積の壁紙またはガラス繊維を織り込むことから作られた所定面積のガラスクロスとから形成され、壁紙またはガラスクロスが、金属ベースの下面全域に固着されて天井スラブの天井面または壁の壁面を形成することにある。
【０００９】
前記第１の特徴を有する本発明の一例としては、金属ベースが、その両側縁部の間に所定間隔離間して形成されて前後方向へ延びるとともに金属ベースの上面から上方へ凸となる複数の凸部を有し、鉄筋トラスが、金属ベースの上面から上方へ離間して前後方向へ延びる上端筋と、金属ベースの上面と上端筋との間に位置して前後方向へ延びる一対の下端筋と、金属ベースの上面と上端筋との間で上下方向へ波状に曲折を繰り返しながら前後方向へ延びる一対の第１および第２ラチス筋とから形成され、ラチス筋の上端凸部が、上端筋に溶接固定され、ラチス筋の中間部が、下端筋に溶接固定され、ラチス筋の下端凹部が、凸部に溶接固定され、壁紙またはガラスクロスが、凸部に入り込んだ状態で金属ベースの下面に固着されている。
【００１０】
前記第１の特徴を有する本発明の他の一例としては、金属ベースが、その両側縁部の間に所定間隔離間して形成されて前後方向へ延びるとともに金属ベースの上面から上方へ凸となる複数の凸部を有し、鉄筋トラスが、金属ベースの上面から上方へ離間して前後方向へ延びる上端筋と、金属ベースの上面と上端筋との間に位置して前後方向へ延びる一対の下端筋と、金属ベースの上面と上端筋との間で上下方向へ波状に曲折を繰り返しながら前後方向へ延びる一対の第１および第２ラチス筋とから形成され、ラチス筋の上端凸部が、上端筋に溶接固定され、ラチス筋の中間部が、下端筋に溶接固定され、ラチス筋の下端凹部が、凸部に溶接固定され、壁紙またはガラスクロスが、凸部を覆い隠すように金属ベースの下面に固着されている。
【００１１】
前記前提における本発明の第２の特徴は、デッキプレートが、前後方向へ延びる両側縁部および幅方向へ延びる両端縁部を有する所定面積の金属ベースと、金属ベースの上面に設置、固定され、金属ベースの両端縁部の間に位置して前後方向へ延びる少なくとも１つの鉄筋トラスと、金属ベースの下面全域に固着された所定面積および所定厚みのグラスウールと、所定面積の壁紙またはガラス繊維を織り込むことから作られた所定面積のガラスクロスとから形成され、壁紙またガラスクロスが、グラスウールの下面全域に固着されて天井スラブの天井面または壁の壁面を形成することにある。
【００１２】
前記第２の特徴を有する本発明の一例としては、金属ベースが、その両側縁部の間に所定間隔離間して形成されて前後方向へ延びるとともに金属ベースの上面から上方へ凸となる複数の凸部を有し、鉄筋トラスが、金属ベースの上面から上方へ離間して前後方向へ延びる上端筋と、金属ベースの上面と上端筋との間に位置して前後方向へ延びる一対の下端筋と、金属ベースの上面と上端筋との間で上下方向へ波状に曲折を繰り返しながら前後方向へ延びる一対の第１および第２ラチス筋とから形成され、ラチス筋の上端凸部が、上端筋に溶接固定され、ラチス筋の中間部が、下端筋に溶接固定され、ラチス筋の下端凹部が、凸部に溶接固定されている。
【００１３】
前記第１および第２の特徴を有する本発明の一例としては、金属ベースが、その一方の側縁部に形成されて一方の側縁部を金属ベースの上面の側に向かって折り曲げることから作られた第１係合部と、その他方の側縁部に形成されて他方の側縁部を金属ベースの下面の側に向かって折り曲げることから作られた第２係合部とを有し、壁紙またはガラスクロスが、第１係合部と第２係合部とにおける金属ベースの下面に固着されている。
【００１４】
前記第１および第２の特徴を有する本発明の他の一例としては、ガラスクロスが、ガラス繊維を織り込んだ所定の幅寸法を有する縦織布とガラス繊維を織り込んだ所定の幅寸法を有する横織布とを織り込むことから作られ、所定の光反射率を有して天井スラブに設置された天井光源の光または壁に設置された壁光源の光を拡散する。
【００１５】
前記第１および第２の特徴を有する本発明の他の一例としては、ガラスクロスが、所定厚みを有して吸音材としての機能を有するとともに断熱材としての機能を有する。
【発明の効果】
【００１６】
第１の特徴を有する本発明のデッキプレートによれば、所定面積の壁紙またはガラス繊維を織り込むことから作られた所定面積のガラスクロスが金属ベースの下面全域に固着され、壁紙またはガラスクロスが天井スラブの天井面または壁の壁面を形成することで、壁紙やガラスクロスが鉄筋コンクリート建造物の天井スラブの天井面や壁の壁面に露出するから、その壁紙やそのガラスクロスを天井仕上げ材や壁仕上げ材として利用することができる。デッキプレートは、吊りボルトに化粧合板や石膏ボード、アルミパネル等の天井仕上げ材や壁地上げ材を取り付けることなく天井スラブや壁を構築することができ、天井仕上げ材や壁仕上げ材を別途設置するための天井仕上げ工事や壁仕上げ工事を省くことができるとともに、天井仕上げ工事や壁仕上げ工事のための手間やコストを省くことができる。デッキプレートは、吊りボルトによって化粧合板や石膏ボード、アルミパネル等の天井仕上げ材を取り付ける必要はないから、吊りボルトを利用して天井仕上げ材を取り付けた吊り天井構造と比較し、地震等による揺れが発生したとしても、落下の危険がなく、天井落下事故の発生を防ぐことが可能な天井スラブを構築することができる。デッキプレートは、各種複数の壁紙や各種複数のガラスクロスから希望のそれを選択することで、希望の壁紙やガラスクロスが露出する気に入った天井面や壁面を作ることができる。
【００１７】
金属ベースがその両側縁部の間に所定間隔離間して形成されて前後方向へ延びるとともに金属ベースの上面から上方へ凸となる複数の凸部を有し、鉄筋トラスが前後方向へ延びる上端筋と前後方向へ延びる一対の下端筋と上下方向へ波状に曲折を繰り返しながら前後方向へ延びる一対の第１および第２ラチス筋とから形成され、ラチス筋の上端凸部が上端筋に溶接固定され、ラチス筋の中間部が下端筋に溶接固定され、ラチス筋の下端凹部が凸部に溶接固定され、壁紙またはガラスクロスが凸部に入り込んだ状態で金属ベースの下面に固着されているデッキプレートは、ラチス筋の下端凹部を金属ベースの凸部に溶接すると、溶接時の熱の作用で、凸部周辺に溶接跡が発生するが、壁紙またはガラスクロスが凸部に入り込んだ状態で金属ベースの下面に固着されることで、壁紙やガラスクロスによって溶接跡が覆い隠されるとともに壁紙やガラスクロスが天井スラブの天井面や壁の壁面に露出するから、選択された希望の壁紙やガラスクロスが露出する見端のよい天井スラブや壁を構築することができ、希望の壁紙やガラスクロスが露出する気に入った天井面や壁面を作ることができる。デッキプレートは、ラチス筋の下方凹部が金属ベースの凸部に溶接固定されることで、それらラチス筋を金属ベースに確実に固定することができ、鉄筋トラスと金属ベースとの固定が不用意に解除されることはなく、デッキプレートに打設されたコンクリートに曲げ引張力や曲げ圧縮力、せん断力が作用したとしても、それら力によってコンクリートが破損することはなく、デッキプレートとコンクリートとによって十分な強度を有する強固な天井スラブや壁を構築することができる。
【００１８】
金属ベースがその両側縁部の間に所定間隔離間して形成されて前後方向へ延びるとともに金属ベースの上面から上方へ凸となる複数の凸部を有し、鉄筋トラスが前後方向へ延びる上端筋と前後方向へ延びる一対の下端筋と上下方向へ波状に曲折を繰り返しながら前後方向へ延びる一対の第１および第２ラチス筋とから形成され、ラチス筋の上端凸部が上端筋に溶接固定され、ラチス筋の中間部が下端筋に溶接固定され、ラチス筋の下端凹部が凸部に溶接固定され、壁紙またはガラスクロスが凸部を覆い隠すように金属ベースの下面に固着されているデッキプレートは、ラチス筋の下端凹部を金属ベースの凸部に溶接すると、溶接時の熱の作用で、凸部周辺に溶接跡が発生するが、壁紙またはガラスクロスが凸部を覆い隠すように金属ベースの下面に固着されることで、壁紙やガラスクロスによって溶接跡が覆い隠されるとともに壁紙やガラスクロスが天井スラブの天井面や壁の壁面に露出するから、選択された希望の壁紙やガラスクロスが露出する見端のよい天井スラブや壁を構築することができ、希望の壁紙やガラスクロスが露出する気に入った天井面や壁面を作ることができる。デッキプレートは、ラチス筋の下方凹部が金属ベースの凸部に溶接固定されることで、それらラチス筋を金属ベースに確実に固定することができ、鉄筋トラスと金属ベースとの固定が不用意に解除されることはなく、デッキプレートに打設されたコンクリートに曲げ引張力や曲げ圧縮力、せん断力が作用したとしても、それら力によってコンクリートが破損することはなく、デッキプレートとコンクリートとによって十分な強度を有する強固な天井スラブや壁を構築することができる。
【００１９】
第２の特徴を有する本発明のデッキプレートによれば、所定面積および所定厚みのグラスウールが金属ベースの下面全域に固着され、所定面積の壁紙またはガラス繊維を織り込むことから作られた所定面積のガラスクロスがグラスウールの下面全域に固着され、壁紙またはガラスクロスが天井スラブの天井面や壁の壁面を形成することで、壁紙やガラスクロスが鉄筋コンクリート建造物の天井スラブの天井面や壁の壁面に露出するから、グラスウールと壁紙またはガラスクロスとを天井仕上げ材や壁仕上げ材として利用することができる。デッキプレートは、吊りボルトに化粧合板や石膏ボード、アルミパネル等の天井仕上げ材や壁地上げ材を取り付けることなく天井スラブや壁を構築することができ、天井仕上げ材や壁仕上げ材を別途設置するための天井仕上げ工事や壁仕上げ工事を省くことができるとともに、天井仕上げ工事や壁仕上げ工事のための手間やコストを省くことができる。デッキプレートは、吊りボルトによって化粧合板や石膏ボード、アルミパネル等の天井仕上げ材を取り付ける必要はないから、吊りボルトを利用して天井仕上げ材を取り付けた吊り天井構造と比較し、地震等による揺れが発生したとしても、落下の危険がなく、天井落下事故の発生を防ぐことが可能な天井スラブを構築することができる。デッキプレートは、各種複数の壁紙や各種複数のガラスクロスから希望のそれを選択することで、希望の壁紙やガラスクロスが露出する気に入った天井面や壁面を作ることができる。デッキプレートは、金属ベースの下面全域に固着された所定面積および所定厚みのグラスウールが吸音機能および断熱機能を有するから、デッキプレートに吸音機能および断熱機能を付与することができ、デッキプレートを利用して吸音効果および断熱効果を発揮する天井スラブを構築することができる。
【００２０】
金属ベースがその両側縁部の間に所定間隔離間して形成されて前後方向へ延びるとともに金属ベースの上面から上方へ凸となる複数の凸部を有し、鉄筋トラスが前後方向へ延びる上端筋と前後方向へ延びる一対の下端筋と上下方向へ波状に曲折を繰り返しながら前後方向へ延びる一対の第１および第２ラチス筋とから形成され、ラチス筋の上端凸部が上端筋に溶接固定され、ラチス筋の中間部が下端筋に溶接固定され、ラチス筋の下端凹部が凸部に溶接固定されているデッキプレートは、ラチス筋の下端凹部を金属ベースの凸部に溶接すると、溶接時の熱の作用で、凸部周辺に溶接跡が発生するが、グラスウールが凸部を覆い隠すように金属ベースの下面に固着されることで、グラスウールによって溶接跡が覆い隠されるとともに壁紙またはガラスクロスが天井スラブの天井面や壁の壁面に露出するから、選択された希望の壁紙やガラスクロスが露出する見端のよい天井スラブや壁を構築することができ、希望の壁紙やガラスクロスが露出する気に入った天井面や壁面を作ることができる。デッキプレートは、ラチス筋の下方凹部が金属ベースの凸部に溶接固定されることで、それらラチス筋を金属ベースに確実に固定することができ、鉄筋トラスと金属ベースとの固定が不用意に解除されることはなく、デッキプレートに打設されたコンクリートに曲げ引張力や曲げ圧縮力、せん断力が作用したとしても、それら力によってコンクリートが破損することはなく、デッキプレートとコンクリートとによって十分な強度を有する強固な天井スラブや壁を構築することができる。
【００２１】
金属ベースがその一方の側縁部に形成されて一方の側縁部を金属ベースの上面の側に向かって折り曲げることから作られた第１係合部とその他方の側縁部に形成されて他方の側縁部を金属ベースの下面の側に向かって折り曲げることから作られた第２係合部とを有し、壁紙またはガラスクロスが第１係合部と第２係合部とにおける金属ベースの下面に固着されているデッキプレートは、第１係合部と第２係合部とを係合させることで複数のデッキプレートを幅方向へ連結し、所定面積の天井スラブや所定面積の壁を構築するが、第１および第２係合部における金属ベースの下面に壁紙またはガラスクロスが固着されているから、天井スラブや壁において壁紙やガラスクロスが幅方向へ連続し、壁紙やガラスクロスが幅方向へ途切れることはなく、幅方向へ連続する壁紙やガラスクロスによって見端のよい天井スラブや壁を構築することができ、希望の壁紙やガラスクロスが露出する気に入った天井面や壁面を作ることができる。
【００２２】
ガラスクロスがガラス繊維を織り込んだ所定の幅寸法を有する縦織布とガラス繊維を織り込んだ所定の幅寸法を有する横織布とを織り込むことから作られ、所定の光反射率を有して天井スラブに設置された天井光源の光または壁に設置された壁光源の光を拡散するデッキプレートは、デッキプレートを利用して構築された天井スラブに天井光源を設置し、または、デッキプレートを利用して構築された壁に壁光源を設置し、その天井光源やその壁光源から光が放射された場合、所定の光反射率を有するガラスクロスによって光が乱反射し、天井光源や壁光源からの光が拡散するから、天井面や壁面からの間接光で明るさ感を増加させることが可能な天井スラブや壁を構築することができる。
【００２３】
ガラスクロスが所定厚みを有して吸音材としての機能を有するとともに断熱材としての機能を有するデッキプレートは、金属ベースの下面全域に固着された所定面積および所定厚みのガラスクロスが吸音機能および断熱機能を有するから、デッキプレートに吸音機能および断熱機能を付与することができ、デッキプレートを利用して吸音効果および断熱効果を発揮する天井スラブや壁を構築することができるとともに、鉄筋コンクリート建造物の遮音性や保温性を向上させることができる。デッキプレートは、金属ベースとガラスクロスとの間にグラスウールが介在する場合、金属ベースの下面全域に固着された所定面積および所定厚みのグラスウールとグラスウールの下面全域に固着された所定面積および所定厚みのガラスクロスとが吸音機能および断熱機能を有するから、デッキプレートに優れた吸音機能および優れた断熱機能を付与することができ、デッキプレートを利用して優れた吸音効果および断熱効果を発揮する天井スラブや壁を構築することができるとともに、鉄筋コンクリート建造物の遮音性や保温性を向上させることができる。
【図面の簡単な説明】
【００２４】
【図１】一例として示すデッキプレートの斜視図。
【図２】図１のデッキプレートの下面図。
【図３】図１のデッキプレートの上面図。
【図４】図１のデッキプレートの正面図。
【図５】図１のデッキプレートの側面図。
【図６】一例として示すガラスクロスの正面図。
【図７】他の一例として示すガラスクロスの正面図。
【図８】コンクリートを打設した状態で示す図１のデッキプレートの正面図。
【図９】他の一例として示すデッキプレートの正面図。
【図１０】コンクリートを打設した状態で示す図９のデッキプレートの正面図。
【図１１】他の一例として示すデッキプレートの正面図。
【図１２】コンクリートを打設した状態で示す図１１のデッキプレートの正面図。
【発明を実施するための形態】
【００２５】
一例として示すデッキプレート１０Ａの斜視図である図１等の添付の図面を参照し、本発明に係るデッキプレートの詳細を説明すると、以下のとおりである。なお、図２は、図１のデッキプレートの下面図であり、図３は、デッキプレート１０Ａの上面図である。図４は、デッキプレート１０Ａの正面図であり、図５は、デッキプレート１０Ａの側面図である。図６は、一例として示すガラスクロス１４の正面図であり、図７は、他の一例として示すガラスクロス１４の正面図である。図８は、コンクリート３７を打設した状態で示すデッキプレート１０Ａの正面図である。図８では、天井スラブ１１ａの天井面３３ａに天井光源３８ａが設置され、壁１１ｂの壁面３３ｂに壁光源３８ｂが設置されている。図１では、前後方向を矢印Ａ、幅方向を矢印Ｂで示し、上下方向を矢印Ｃで示す。
【００２６】
デッキプレート１０Ａ（デッキプレート１０Ｂ，１０Ｃを含む）は、鉄筋コンクリート建造物の天井スラブ１１ａまたは壁１１ｂの構築に使用される。デッキプレート１０Ａは、所定面積を有する前後方向へ長い金属ベース１２と、金属ベース１２の上面１６に設置された鉄筋トラス１３と、金属ベース１２の下面１８に固着された壁紙１４ａまたはガラスクロス１４ｂとから形成されている。図１では、金属ベース１２に２つの鉄筋トラス１３が設置されているが、鉄筋トラス１３の数に特に制限はなく、構築する天井スラブ１１ａや壁１１ｂの大きさや必要な鉄筋の量等に応じて１つの鉄筋トラス１３や３つ以上の鉄筋トラス１３が金属ベース１２に設置されていてもよい。
【００２７】
金属ベース１２には、鉄板が使用されているが、鉄板の他に、アルミニウム板やステンレス板、チタン板等を使用することもできる。金属ベース１２は、前後方向へ延びる両側縁部１５ａ，１５ｂと、幅方向へ延びる両端縁部１６ａ，１６ｂと、略フラットな上面１７および略フラットな下面１８とを有する。金属ベース１２の上下面１７，１８には、メッキ処理が施されている。なお、金属ベース１２の面積に特に限定はなく、構築する天井スラブ１１ａや壁１１ｂの大きさに応じてその面積を自由に決定することができる。
【００２８】
金属ベース１２の一方の側縁部１５ａには、第１係合部１９が作られ、他方の側縁部１５ｂには、第２係合部２０が作られている。第１係合部１９は、金属ベース１２の一方の側縁部１５ａの一部を金属ベース１２の上面１７の側に向かって折り曲げることから作られている。第２係合部２０は、金属ベース１２の他方の側縁部１５ｂの一部を金属ベース１２の下面１８の側に向かって折り曲げることから作られている。各金属ベース１２は、一方の金属ベース１２の第１係合部１９と他方の金属ベース１２の第２係合部２０とを係合させる（引っ掛ける）ことで、各金属ベース１２を幅方向へつなげ、複数のデッキプレート１０Ａを連結した状態で横方向へ並べることができる。
【００２９】
金属ベース１２には、その上面１７から上方へ凸となる複数の凸部２１（突条）が形成されている。それら凸部２１は、金属ベース１２の両側縁部１５ａ，１５ｂの間に位置して幅方向へ等間隔離間（所定間隔離間）して並び、一方の端縁部１６ａから他方の端縁部１６ｂに向かって前後方向へ延びている。それら凸部２１は、金属ベース１２の一部分を幅方向内方へ折り曲げ、金属ベース１２の一部分をその上面１７から上方へ向かって山折りにすることで作られている。それら凸部２１は、上下方向への高さ寸法が３〜１０ｍｍであり、図４に示すように正面形状が円弧に成形されている。
【００３０】
それら鉄筋トラス１３は、金属ベース１２の両側縁部１５ａ，１５ｂの間に配置されて幅方向へ等間隔離間（所定間隔離間）して並び、一方の端縁部１６ａから他方の端縁部１６ｂに向かって前後方向へ延びている。鉄筋トラス１３は、１本の上端筋２２と２本（一対）の下端筋２３と２本（一対）の第１および第２ラチス筋２４ａ，２４ｂとから組み立てられている。
【００３１】
それら上端筋２２は、鉄を延伸した鉄棒から作られている。上端筋２２には、その周面に複数の節（リブ）を有する異形鉄棒（異形鉄筋）が使用されている。上端筋２２は、幅方向に隣接する凸部２１の間に位置し、金属ベース１２の上面１７から上方へ離間して前後方向へ直状に延びている。各鉄筋トラス１３において幅方向へ並ぶ上端筋２２の前後方向の長さ寸法は略同一であり、それら上端筋２２が並行して並んでいる。
【００３２】
それら下端筋２３は、鉄を延伸した鉄棒から作られている。下端筋２３には、その周面に複数の節（リブ）を有する異形金属棒（異形鉄筋）が使用されている。下端筋２３は、幅方向に隣接する凸部２１の間に位置（凸部２１から内側へ所定寸法離間して位置）するとともに、それらラチス筋２４ａ，２４ｂの外側に位置し、上端筋２２の下方であって上端筋２２の幅方向両側に位置している。下端筋２３は、金属ベース１２の上面１７から上方へ所定寸法離間して前後方向へ直状に延びている。各鉄筋トラス１３において幅方向へ並ぶ下端筋２３の前後方向の長さ寸法は略同一であり、それら下端筋２３が並行して並んでいる。
【００３３】
第１および第２ラチス筋２４ａ，２４ｂは、鉄を延伸した鉄棒から作られている。それらラチス筋２４ａ，２４ｂは、幅方向に隣接する凸部２１の間に位置（凸部２１から内側へ所定寸法離間して位置）するとともに、金属ベース１２の上面１７と上端筋２２との間に位置している。第１および第２ラチス筋２４ａ，２４ｂは、金属ベース１２の上面１７と上端筋２２との間で上下方向へ波状に曲折（起伏）を繰り返しながら前後方向へ延びている。
【００３４】
それらラチス筋２４ａ，２４ｂは、上端筋２２の側に位置して上方へ向かって凸となるように弧を画く上端凸部２５と、金属ベース１２の上面１７の側に位置する下端凹部２７と、上端凸部２５および下端凹部２７の間において前後方向へ傾斜して延びる中間部２６とを有する。それらラチス筋２４ａ，２４ｂは、図４に示すように、金属ベース１２の上面１７に対して垂直ではなく、金属ベース１２の上面１７に対して所定角度で傾斜し、上端凸部２５から下端凹部２７に向かって幅方向外方へ末広がりになっている。それらラチス筋２４ａ，２４ｂの傾斜角度について特に制限はなく、その傾斜角度を自由に変えることができる。
【００３５】
各ラチス筋２４ａ，２４ｂの上下方向へ波状に曲折を繰り返す角度は一定であり、単位長さ（たとえば１ｍ）当たりのラチス筋２４ａ，２４ｂの曲折を繰り返す回数は同一である。ラチス筋２４ａ，２４ｂの上下方向へ波状に曲折を繰り返す角度は自由に変えることができ、その角度を調節（単位長さ当たりのラチス筋２４ａ，２４ｂの曲折を繰り返す回数を調節）することで、ラチス筋２４ａ，２４ｂの上端凸部
２５どうしの縦方向の離間寸法を調節することができ、ラチス筋２４ａ，２４ｂの下端凹部２７どうしの縦方向の離間寸法を調節することができる。
【００３６】
第１および第２ラチス筋２４ａ，２４ｂは、上端筋２２を挟んで幅方向へ対称型に配置されている。したがって、幅方向に並ぶそれらラチス筋２４ａ，２４ｂの上端凸部２５どうしの位置が一致し、中間部２６どうしの位置が一致しているとともに、下端凹部２７どうしの位置が一致している。それらラチス筋２４ａ，２４ｂは、前後方向に隣接する上端凸部２５どうしの離間寸法が等しく、上端凸部２５が前後方向へ等間隔で並んでいるとともに、前後方向に隣接する下端凹部２７どうしの離間寸法が等しく、下端凹部２７が前後方向へ等間隔で並んでいる。
【００３７】
第１および第２ラチス筋２４ａ，２４ｂの上端凸部２５は、上端筋２２の幅方向両側（周面）に当接した状態で、上端凸部２５のうちの上端筋２２と交差する部分（交差箇所）が上端筋２２にスポット溶接によって溶着（固定）されている。それらラチス筋２４ａ，２４ｂの中間部２６は、それら下端筋２３の内側に位置し、中間部２６のうちの下端筋２３と交差する部分（交差箇所）が下端筋２３にスポット溶接によって溶着（固定）されている。
【００３８】
第１および第２ラチス筋２４ａ，２４ｂの下端凹部２７は、金属ベース１２の上面１７と並行するように幅方向外方へ折り曲げられ、幅方向外方へ向かって凸となるように弧を画いている。下端凹部２７には、幅方向外方へ延びる屈曲部分２８が形成されている。下端凹部２７の曲折部分２８は、金属ベース１２の凸部２１の上に位置し、その一部が凸部２１から幅方向外方へ突出しつつ、凸部２１と二点（二箇所）で交差している。曲折部分２８のうちの凸部２１と交差する部分が凸部２１にスポット溶接によって溶着（固定）されている。
【００３９】
それら鉄筋トラス１３では、それらラチス筋２４ａ，２４ｂの下端凹部２７が幅方向外方へ折り曲げられておらず、下端凹部２７に屈曲部分２８が作られていなくてもよい。この場合、ラチス筋２４ａ，２４ｂの下端凹部２７が金属ベース１２の凸部２１の１箇所に交差当接し、凸部２１の１箇所に交差する下端凹部２７の交差箇所が凸部２１にスポット溶接によって溶着（固定）される。
【００４０】
上端筋２２や下端筋２３、ラチス筋２４ａ，２４ｂは、それらの太さについて特に制限はなく、構築する天井スラブ１１の大きさや天井スラブ１１に必要な鉄筋量等に合わせて上端筋２２や下端筋２３、ラチス筋２４ａ，２４ｂの太さを自由に変えることができる。上端筋２２や下端筋２３、ラチス筋２４ａ，２４ｂは鉄から作られているが、鉄以外の金属から作ることもできる。また、上端筋２２や下端筋２３、ラチス筋２４ａ，２４ｂが鉄から作られている場合は、それらにメッキ等の防錆処理が施されていてもよい。
【００４１】
上端筋２２とラチス筋２４ａ，２４ｂの上端凸部２５とのスポット溶接や下端筋２３とラチス筋２４ａ，２４ｂの中間部２６とのスポット溶接では、図示はしていないが、電極と移動機構とを備えた自動溶接機が使用される。自動溶接機によるスポット溶接の一例は、上端筋２２およびラチス筋２４ａ，２４ｂの上端凸部２５を各電極で押圧し、下端筋２３およびラチス筋２４ａ，２４ｂの中間部２６を各電極で押圧しつつ、それら電極で上端筋２２と上端凸部２５とを挟み込むとともに、それら電極で下端筋２３と中間部２６とを挟み込み、それら電極に所定の電流を流す（所定の電圧を印可する）。
【００４２】
それら電極から流れた電流は、上端筋２２とラチス筋２４ａ，２４ｂの上端凸部２５とに流れ、上端筋２２および上端凸部２５を加熱溶融するとともに、下端筋２３とラチス筋２４ａ，２４ｂの中間部２６とに流れ、下端筋２３および中間部２６を加熱溶融する。次に、それら電極が上端筋２２および上端凸部２５や下端筋２３および中間部２６から離間し、上端筋２２および上端凸部２５や下端筋２３および中間部２６が自然冷却され、上端筋２２と上端凸部２５とが溶着するとともに、下端筋２３と中間部２６とが溶着する。上端筋２２と上端凸部２５とをスポット溶接し、下端筋２３と中間部２３とをスポット溶接することで、鉄筋トラス１３が作られる。
【００４３】
それらラチス筋２４ａ，２４ｂの下端凹部２７の屈曲部分２８と金属ベース１２の凸部２１との自動溶接機によるスポット溶接では、屈曲部分２８および凸部２１を各電極で押圧しつつ、それら電極で屈曲部分２８と凸部２１とを挟み込み、それら電極に所定の電流を流す（所定の電圧を印可する）。それら電極から流れた電流は、屈曲部分２８と凸部２１とに流れ、屈曲部分２８および凸部２１を加熱溶融する。次に、それら電極が屈曲部分２８および凸部２１から離間し、屈曲部分２８および凸部２１が自然冷却され、屈曲部分２８と凸部２１とが溶着し、鉄筋トラス１３が金属ベース１２に固定される。
【００４４】
壁紙１４ａには、既存のあらゆる壁紙１４ａを使用することができる。壁紙１４ａは、その厚み寸法は、０．３〜３ｍｍの範囲にある。ガラスクロス１４ｂは、所定面積および所定厚みを有して吸音材としての機能を有するとともに断熱材としての機能を有する。ガラスクロス１４ｂの厚み寸法は、０．３〜４ｍｍの範囲にある。ガラスクロス１４ｂは、図６に示すように、ガラス繊維（無色または有色）を織り込んだ所定の幅寸法を有する縦織布２９とガラス繊維を織り込んだ所定の幅寸法を有する横織布３０とを織り込む（製織）（平織り、綾織り、朱子織り、破れ斜紋織）ことから作られている。ガラスクロス１４ｂは、光透過率が低く、高い光反射率を有する。なお、図７に示すように、ガラスクロス１４ｂが複数本のガラス繊維を束ねた縦ガラス繊維と複数本のガラス繊維を束ねた横ガラス繊維とを織り込む（製織）（平織り、綾織り、朱子織り、破れ斜紋織）ことから作られていてもよい。
【００４５】
壁紙１４ａまたはガラスクロス１４ｂは、金属ベース１２の下面１８に対向する対向面３１に接着剤（図示せず）が塗布され、金属ベース１２の凸部２１に入り込んだ状態で金属ベース１２の下面１８全域（第１係合部１９と第２係合部２０とにおける金属ベース１２の下面１８および凸部２１における金属ベース１２の下面１８を含む）に接着剤によって固着されている。なお、壁紙１４ａやガラスクロス１４ｂは、金属ベース１２に鉄筋トラス１３を溶接固定した後、金属ベース１２の下面１８に固着される。接着剤としては、硬化時に体積変化が少ないエポキシ系接着剤とホットメルト接着剤とのいずれかを使用することが好ましいが、他の種類の接着剤であってもよい。壁紙１４ａまたはガラスクロス１４ｂでは、金属ベース１２の下面１８に非対向の非対向面３２（下面）が天井スラブ１１ａの天井面３３ａや壁１１ｂの壁面３３ｂを形成する。金属ベース１２の下面１８にガラスクロス１４ｂが固着された場合、金属ベース１２の下面１８には、ガラスクロス１４ｂによって所定面積の光反射面３４が形成され、所定厚みの吸音層３５および所定厚みの断熱層３６が形成される。
【００４６】
壁紙１４ａやガラスクロス１４ｂが第１係合部１９と第２係合部２０とにおける金属ベース１２の下面１８に固着され、凸部２１における金属ベース１２の下面１８に固着されているから、第１係合部１９と第２係合部２０とを係合させて複数のデッキプレート１０Ａを幅方向へ連結させたデッキプレート１０Ａの集合物において、壁紙１４ａやガラスクロス１４ｂが幅方向へ途切れることはなく、壁紙１４ａやガラスクロス１４ｂが幅方向へ連続する。なお、デッキプレート１０Ａでは、模様やデザイン、色合い、風合い等が異なる各種複数の壁紙１４ａから気に入ったそれを選択することができるとともに、色合いや織り方、光沢、風合い、厚み寸法等が異なる各種複数のガラスクロス１４ｂから気に入ったそれを選択することができ、選択した壁紙１４ａやガラスクロス１４ｂを金属ベース１２の下面１８に固着することができる。
【００４７】
デッキプレート１０Ａを使用して鉄筋コンクリート建造物の天井スラブ１１ａを構築する一例としては、それらデッキプレート１０Ａの第１係合部１９と第２係合部２０とを係合させ、複数のデッキプレート１０Ａを横方向へ連結し、デッキプレート１０Ａの集合物を作る。次に、連結したデッキプレート１０Ａの集合物を鉄筋コンクリート建造物の横梁の間に配置固定する。デッキプレート１０Ａの集合物を建造物の横梁の間に固定した後、デッキプレート１０Ａの集合物の周囲に型枠（図示せず）を組み上げ、鉄筋トラスト１３の上方から金属ベース１２の上面１７に向かって型枠内にコンクリート３７を所定の被り寸法で打設し、コンクリート３７を所定期間養生する。コンクリート３７をデッキプレート１０Ａに打設すると、金属ベース１２や鉄筋トラスト１３がコンクリート３７に埋没する。コンクリート３７の養生期間が経過した後、型枠を取り外すことで天井スラブ１１ａが完成する。天井スラブ１１ａでは、壁紙１４ａやガラスクロス１４ｂがその天井面３３ａに露出する。天井スラブ１１ａには、図８に示すように、室内を照らす天井光源３８ａ（ＬＥＤ光源や蛍光灯）が設置される。
【００４８】
デッキプレート１０Ａを使用して鉄筋コンクリート建造物の壁１１ｂ構築する一例としては、それらデッキプレート１０Ａの第１係合部１９と第２係合部２０とを係合させ、複数のデッキプレート１０Ａを横方向へ連結し、デッキプレート１０Ａの集合物を作る。次に、連結したデッキプレート１０Ａの集合物を鉄筋コンクリート建造物の基礎の上に配置固定する。デッキプレート１０Ａの集合物を建造物の基礎の上に固定した後、デッキプレート１０Ａの集合物の周囲に型枠（図示せず）を組み上げ、金属ベース１２の上面１７に向かって型枠内にコンクリート３７を所定の被り寸法で打設し、コンクリート３７を所定期間養生する。コンクリート３７をデッキプレート１０Ａに打設すると、金属ベース１２や鉄筋トラスト１３がコンクリート３７に埋没する。コンクリート３７の養生期間が経過した後、型枠を取り外すことで壁１１ｂが完成する。壁１１ｂでは、壁紙１４ａやガラスクロス１４ｂがその壁面３３ｂに露出する。壁１１ｂには、図８に示すように、室内を照らす壁光源３８ｂ（ＬＥＤ光源や蛍光灯）が設置される。
【００４９】
図９は、他の一例として示すデッキプレート１０Ｂの正面図であり、図１０は、コンクリート３７を打設した状態で示すデッキプレート１０Ｂの正面図である。図１０では、天井面３３に天井光源３８が設置され、壁１１ｂの壁面３３ｂに壁光源３８ｂが設置されている。このデッキプレート１０Ｂが図１のそれと異なるところは壁紙１４ａまたはガラスクロス１４ｂが凸部２１を覆い隠すように金属ベース１２の下面１８に固着されている点にあり、その他の構成は図１のデッキプレート１０Ａと同一であるから、図１と同一の符号を付すとともに、図１のデッキプレート１０Ａの説明を援用することで、このデッキプレート１０Ｂのその他の構成の詳細な説明は省略する。
【００５０】
デッキプレート１０Ｂは、所定面積を有する前後方向へ長い金属ベース１２と、金属ベース１２の上面１７に設置された鉄筋トラス１３と、金属ベース１２の下面１８に固着された壁紙１４ａまたはガラスクロス１４ｂとから形成されている。鉄筋トラス１３は、上端筋２２および下端筋２３と、第１および第２ラチス筋２４ａ，２４ｂとから形成されている。金属ベース１２や鉄筋トラス１３（上端筋２２、下端筋２３、第１および第２ラチス筋２４ａ，２４ｂ）、壁紙１４ａ、ガラスクロス１４ｂは、図１のデッキプレート１０Ａのそれらと同一である。
【００５１】
デッキプレート１０Ｂでは、第１および第２ラチス筋２４ａ，２４ｂの上端凸部２５のうちの上端筋２２と交差する部分（交差箇所）が上端筋２２にスポット溶接によって溶着（固定）され、ラチス筋２４ａ，２４ｂの中間部２６のうちの下端筋２３と交差する部分（交差箇所）が下端筋２３にスポット溶接によって溶着（固定）されている。第１および第２ラチス筋２４ａ，２４ｂの下端凹部２７の曲折部分２８は、凸部２１の上に位置して凸部２１と交差する部分が凸部２１にスポット溶接によって溶着（固定）されている。
【００５２】
壁紙１４ａまたはガラスクロス１４ｂは、金属ベース１２の下面１８に対向する対向面３１に接着剤が塗布され、金属ベース１４の凸部２１を覆い隠すように金属ベース１２の下面１８全域（第１係合部１９と第２係合部２０とにおける金属ベース１２の下面１８を含む）に接着剤によって固着されている。壁紙１４ａまたはガラスクロス１４ｂは、凸部２１における金属ベース１２の下面１８に固着されていない。なお、壁紙１４ａやガラスクロス１４ｂは、金属ベース１２に鉄筋トラス１３を溶接固定した後、金属ベース１２の下面１８に固着される。壁紙１４ａまたはガラスクロス１４では、金属ベース１２の下面１８に非対向の非対向面３２が天井スラブ１１ａの天井面３３ａや壁１１ｂの壁面３３ｂを形成する。金属ベース１２の下面１８にガラスクロス１４ｂが固着された場合、金属ベース１２の下面１８には、ガラスクロス１４ｂによって所定面積の光反射面３４が形成され、所定厚みの吸音層３５および所定厚みの断熱層３６が形成される。
【００５３】
デッキプレート１０Ｂでは、壁紙１４ａまたはガラスクロス１４ｂが第１係合部１９と第２係合部２０とにおける金属ベース１２の下面１８に固着され、凸部２１を覆い隠すように金属ベース１２の下面１８に固着されているから、第１係合部１９と第２係合部２０とを係合させて複数のデッキプレート１０Ｂを幅方向へ連結させたデッキプレート１０Ｂの集合物において、壁紙１４ａやガラスクロス１４ｂが幅方向へ途切れることはなく、壁紙１４ａやガラスクロス１４ｂが幅方向へ連続する。なお、デッキプレート１０Ｂでは、模様やデザイン、色合い、風合い等が異なる各種複数の壁紙１４ａから気に入ったそれを選択することができるとともに、色合いや織り方、光沢、風合い、厚み寸法等が異なる各種複数のガラスクロス１４ｂから気に入ったそれを選択することができ、選択した壁紙１４ａやガラスクロス１４ｂを金属ベース１２の下面１８に固着することができる。デッキプレート１０Ｂを使用して鉄筋コンクリート建造物の天井スラブ１１ａや壁１１ｂを構築する手順は、デッキプレート１０Ａのそれと同一である。
【００５４】
ガラスクロス１４ｂを固着したデッキプレート１０Ａ，１０Ｂを利用して作られた天井スラブ１１ａや壁１１ｂは、その天井面３３ａやその壁面３３ｂに露出するガラスクロス１４ｂが吸音機能を有するから、室内の音がガラスクロス１４ｂに吸収されて室内の音の音圧レベルが下がり、室内の音の他所への伝搬が抑制される。また、ガラスクロス１４ｂが断熱機能を有するから、室内の暖気や冷気の外部への放出が抑制される。さらに、ガラスクロス１４ｂが高い光反射率を有するから、天井光源３８ａや壁光源３８ｂから照射された光がガラスクロス１４ｂによって反射され、間接光が室内に拡散する。
【００５５】
デッキプレート１０Ａ，１０Ｂは、壁紙１４ａまたはガラス繊維を織り込むことから作られた所定面積のガラスクロス１４ｂが金属ベース１２の下面１８全域に固着され、壁紙１４ａやガラスクロス１４ｂが天井スラブ１１ａの天井面３３ａや壁１１ｂの壁面３３ｂを形成することで、壁紙１４ａやガラスクロス１４ａが鉄筋コンクリート建造物の天井スラブ１１ａの天井面３３ａや壁１１ｂの壁面３３ｂに露出するから、壁紙１４ａやガラスクロス１４ｂを天井仕上げ材や壁仕上げ材として利用することができる。
【００５６】
デッキプレート１０Ａ，１０Ｂは、吊りボルトに化粧合板や石膏ボード、アルミパネル等の天井仕上げ材を取り付けることなく天井スラブ１１ａを構築することができ、壁仕上げ材を取り付けることなく壁１１ｂを構築することができ、天井仕上げ材を別途設置するための天井仕上げ工事や壁仕上げ材を別途設置するための壁仕上げ工事を省くことができるとともに、天井仕上げ工事や壁仕上げ工事のための手間やコストを省くことができる。デッキプレート１０Ａ，１０Ｂは、吊りボルトによって化粧合板や石膏ボード、アルミパネル等の天井仕上げ材を取り付ける必要はないから、吊りボルトを利用して天井仕上げ材を取り付けた吊り天井構造と比較し、地震等による揺れが発生したとしても、落下の危険がなく、天井落下事故の発生を防ぐことが可能な天井スラブ１１ａを構築することができる。
【００５７】
第１および第２ラチス筋２４ａ，２４ｂの下端凹部２７の曲折部分２８を金属ベース１２の凸部２１に溶接すると、溶接時の熱の作用で、凸部２１周辺に溶接跡が発生するが、デッキプレート１０Ａ，１０Ｂは、壁紙１４ａやガラスクロス１４ｂが凸部２１に入り込んだ状態で金属ベース１２の下面１８に固着され、または、壁紙１４ａやガラスクロス１４ｂが凸部２１を覆い隠すように金属ベース１２の下面１８に固着されることで、壁紙１４ａやガラスクロス１４ｂによって溶接跡が覆い隠されるとともに壁紙１４ａやガラスクロス１４ｂが天井スラブ１１ａの天井面３３ａや壁１１ｂの壁面３３ｂに露出するから、各種複数の壁紙１４ａや各種複数のガラスクロス１４ｂから希望のそれを選択することで、選択された希望の壁紙１４ａやガラスクロス１４ｂが露出する見端のよい天井スラブ１１ａや壁１１ｂを構築することができ、希望の壁紙１４ａやガラスクロス１４ａが露出する気に入った天井面３３ａや壁面３３ｂを作ることができる。
【００５８】
デッキプレート１０Ａ，１０Ｂは、第１および第２ラチス筋２４ａ，２４ｂの下方凹部２７の曲折部分２８が金属ベース１２の凸部２１に溶接固定されることで、それらラチス筋２４ａ，２４ｂを金属ベース１２に確実に固定することができ、鉄筋トラス１３と金属ベース１２との固定が不用意に解除されることはなく、デッキプレート１０Ａ，１０Ｂに打設されたコンクリート３７に曲げ引張力や曲げ圧縮力、せん断力が作用したとしても、それら力によってコンクリート３７が破損することはなく、デッキプレート１０Ａ，１０Ｂとコンクリート３７とによって十分な強度を有する強固な天井スラブ１１ａや壁１１ｂを構築することができる。
【００５９】
デッキプレート１０Ａ，１０Ｂは、デッキプレート１０Ａ，１０Ｂを利用して構築された天井スラブ１１ａに天井光源３８ａを設置し、デッキプレート１０Ａ，１０Ｂを利用して構築された壁１１ｂに壁光源３８ｂを設置し、その天井光源３８ａやその壁光源３８ｂから光が放射された場合、所定の光反射率を有するガラスクロス１４ｂによって光が乱反射し、天井光源３８ａや壁光源３８ｂからの光が拡散するから、天井面３３ａや壁面３３ｂからの間接光で明るさ感を増加させることが可能な天井スラブ１１ａや壁１１ｂを構築することができる。デッキプレート１０Ａ，１０Ｂは、金属ベース１２の下面１８全域に固着された所定面積および所定厚みのガラスクロス１４ｂが吸音機能および断熱機能を有して吸音層３５および断熱層３６を形成するから、デッキプレート１０Ａ，１０Ｂに吸音機能および断熱機能を付与することができ、デッキプレート１０Ａ，１０Ｂを利用することで吸音効果および断熱効果を発揮する天井スラブ１１ａや壁１１ｂを構築することができるとともに、鉄筋コンクリート建造物の遮音性や保温性を向上させることができる。
【００６０】
図１１は、他の一例として示すデッキプレート１０Ｃの正面図であり、図１２は、コンクリート３７を打設した状態で示すデッキプレート１０Ｃの正面図である。図１２では、天井面３３に天井光源３８が設置され、壁１１ｂの壁面３３ｂに壁光源３８ｂが設置されている。このデッキプレート１０Ｃが図１のそれと異なるところは金属ベース１２の下面１８と壁紙１４ａまたはガラスクロス１４ｂとの間にグラスウール３９が介在する点、壁紙１４ａまたはガラスクロス１４ｂがグラスウール３９の非対向面４１（下面）に固着されている点にあり、その他の構成は図１のデッキプレート１０Ａと同一であるから、図１と同一の符号を付すとともに、図１のデッキプレート１０Ａの説明を援用することで、このデッキプレート１０Ｃのその他の構成の詳細な説明は省略する。
【００６１】
デッキプレート１０Ｃは、所定面積を有する前後方向へ長い金属ベース１２と、金属ベース１２の上面１７に設置された鉄筋トラス１３と、金属ベース１２の下面１８に固着されたグラスウール３９と、グラスウール３９の非対向面４１（下面）に固着された壁紙１４ａまたはガラスクロス１４ｂとから形成されている。鉄筋トラス１３は、上端筋２２および下端筋２３と、第１および第２ラチス筋２４ａ，２４ｂとから形成されている。金属ベース１２や鉄筋トラス１３（上端筋２２、下端筋２３、第１および第２ラチス筋２４ａ，２４ｂ）、壁紙１４ａ、ガラスクロス１４ｂは、図１のデッキプレート１０Ａのそれらと同一である。
【００６２】
デッキプレート１０Ｃでは、第１および第２ラチス筋２４ａ，２４ｂの上端凸部２５のうちの上端筋２２と交差する部分（交差箇所）が上端筋２２にスポット溶接によって溶着（固定）され、ラチス筋２４ａ，２４ｂの中間部２６のうちの下端筋２３と交差する部分（交差箇所）が下端筋２３にスポット溶接によって溶着（固定）されている。第１および第２ラチス筋２４ａ，２４ｂの下端凹部２７の曲折部分２８は、凸部２１の上に位置して凸部２１と交差する部分が凸部２１にスポット溶接によって溶着（固定）されている。
【００６３】
グラスウール３９は、所定面積および所定厚みを有して吸音材としての機能を有するとともに断熱材としての機能を有する。グラスウール３９の厚み寸法は、５〜２０ｍｍの範囲にある。グラスウール３９は、金属ベース１２の下面１８に対向する対向面４０に接着剤（図示せず）が塗布され、金属ベース１２の下面１８全域（第１係合部１９と第２係合部２０とにおける金属ベース１２の下面１８を除く）に接着剤によって固着されている。
【００６４】
壁紙１４ａまたはガラスクロス１４ｂは、グラスウール３９に対向する対向面３１に接着剤が塗布され、グラスウール３９の金属ベース１２の下面１８に非対向の非対向面４１全域（第１係合部１９と第２係合部２０とにおける金属ベース１２の下面１８を含む）に接着剤によって固着されている。なお、金属ベース１２に鉄筋トラス１３を溶接固定した後、グラスウール３９が金属ベース１２の下面１８に固着され、壁紙１４ａやガラスクロス１４ｂがグラスウール３９の非対向面４１に固着される。壁紙１４ａまたはガラスクロス１４ｂの非対向面３２が天井スラブ１１ａの天井面３３ａや壁１１ｂの壁面３３ｂを形成する。グラスウール３９の非対向面４１にガラスクロス１４ｂが固着された場合、金属ベース１２の下面１８には、ガラスクロス１４ｂおよびグラスウール３９によって所定面積の光反射面３４が形成され、所定厚みの吸音層３５および所定厚みの断熱層３６が形成される。
【００６５】
デッキプレート１０Ｃでは、壁紙１４ａまたはガラスクロス１４ｂがグラスウール３９の非対向面４１に固着されているとともに第１係合部１９と第２係合部２０とにおける金属ベース１２の下面１８に固着されているから、第１係合部１９と第２係合部２０とを係合させて複数のデッキプレート１０Ｃを幅方向へ連結させたデッキプレート１０Ｃの集合物において、壁紙１４ａやガラスクロス１４ｂが幅方向へ途切れることはなく、壁紙１４ａやガラスクロス１４ｂが幅方向へ連続する。なお、デッキプレート１０Ｃでは、模様やデザイン、色合い、風合い等が異なる各種複数の壁紙１４ａから気に入ったそれを選択することができるとともに、色合いや織り方、光沢、風合い、厚み寸法等が異なる各種複数のガラスクロス１４ｂから気に入ったそれを選択することができ、選択した壁紙１４ａやガラスクロス１４ｂをグラスウール３９の非対向面４１に固着することができる。デッキプレート１０Ｃを使用して鉄筋コンクリート建造物の天井スラブ１１ａや壁１１ｂを構築する手順は、デッキプレート１０Ａのそれと同一である。
【００６６】
ガラスクロス１４ｂを固着したデッキプレート１０Ｃを利用して作られた天井スラブ１１ａや壁１１ｂは、グラスウール３９と天井面３３ａや壁面３３ｂに露出するガラスクロス１４ｂとが吸音機能を有するから、室内の音がグラスウール３９やガラスクロス１４ｂに吸収されて室内の音の音圧レベルが下がり、室内の音の他所への伝搬が抑制される。また、グラスウール３９とガラスクロス１４ｂとが断熱機能を有するから、室内の暖気や冷気の外部への放出が抑制される。さらに、ガラスクロス１４ｂが高い光反射率を有するから、天井光源３８ａや壁光源３８ｂから照射された光がガラスクロス１４ｂによって反射され、間接光が室内に拡散する。
【００６７】
デッキプレート１０Ｃは、所定面積および所定厚みのグラスウール３９が金属ベース１２の下面１８全域に固着され、壁紙１４ａまたはガラス繊維を織り込むことから作られた所定面積のガラスクロス１４ｂがグラスウール３９の非対向面全域（下面全域）に固着され、壁紙１４ａやガラスクロス１４ｂが天井スラブ１１ａの天井面３３ａや壁１１ｂの壁面３３ｂを形成することで、壁紙１４ａやガラスクロス１４ａが鉄筋コンクリート建造物の天井スラブ１１ａの天井面３３ａや壁１１ｂの壁面３３ｂに露出するから、グラスウール３９と壁紙１４ａやガラスクロス１４ｂとを天井仕上げ材や壁仕上げ材として利用することができる。
【００６８】
デッキプレート１０Ｃは、吊りボルトに化粧合板や石膏ボード、アルミパネル等の天井仕上げ材を取り付けることなく天井スラブ１１ａを構築することができ、壁仕上げ材を取り付けることなく壁１１ｂを構築することができ、天井仕上げ材を別途設置するための天井仕上げ工事や壁仕上げ材を別途設置するための壁仕上げ工事を省くことができるとともに、天井仕上げ工事や壁仕上げ工事のための手間やコストを省くことができる。デッキプレート１０Ｃは、吊りボルトによって化粧合板や石膏ボード、アルミパネル等の天井仕上げ材を取り付ける必要はないから、吊りボルトを利用して天井仕上げ材を取り付けた吊り天井構造と比較し、地震等による揺れが発生したとしても、落下の危険がなく、天井落下事故の発生を防ぐことが可能な天井スラブ１１ａを構築することができる。
【００６９】
第１および第２ラチス筋２４ａ，２４ｂの下端凹部２７の曲折部分２８を金属ベース１２の凸部２１に溶接すると、溶接時の熱の作用で、凸部２１周辺に溶接跡が発生するが、デッキプレート１０Ｃは、グラスウール３９が凸部２１を覆い隠すように金属ベース１２の下面１８に固着されることで、グラスウール３９によって溶接跡が覆い隠されるとともに壁紙１４ａやガラスクロス１４ｂが天井スラブ１１ａの天井面３３ａや壁１１ｂの壁面３３ｂに露出するから、各種複数の壁紙１４ａや各種複数のガラスクロス１４ｂから希望のそれを選択することで、選択された希望の壁紙１４ａやガラスクロス１４ｂが露出する見端のよい天井スラブ１１ａや壁１１ｂを構築することができ、希望の壁紙１４ａやガラスクロス１４ａが露出する気に入った天井面３３ａや壁面３３ｂを作ることができる。
【００７０】
デッキプレート１０Ｃは、第１および第２ラチス筋２４ａ，２４ｂの下方凹部２７の曲折部分２８が金属ベース１２の凸部２１に溶接固定されることで、それらラチス筋２４ａ，２４ｂを金属ベース１２に確実に固定することができ、鉄筋トラス１３と金属ベース１２との固定が不用意に解除されることはなく、デッキプレート１０Ｃに打設されたコンクリート３７に曲げ引張力や曲げ圧縮力、せん断力が作用したとしても、それら力によってコンクリート３７が破損することはなく、デッキプレート１０Ｃとコンクリート３７とによって十分な強度を有する強固な天井スラブ１１ａや壁１１ｂを構築することができる。
【００７１】
デッキプレート１０Ｃは、デッキプレート１０Ｃを利用して構築された天井スラブ１１に天井スラブ１１ａに天井光源３８ａを設置し、デッキプレート１０Ｃを利用して構築された壁１１ｂに壁光源３８ｂを設置し、その天井光源３８ａやその壁光源３８ｂから光が放射された場合、所定の光反射率を有するガラスクロス１４ｂによって光が乱反射し、天井光源３８ａや壁光源３８ｂからの光が拡散するから、天井面３３ａや壁面３３ｂからの間接光で明るさ感を増加させることが可能な天井スラブ１１ａや壁１１ｂを構築することができる。デッキプレート１０Ｃは、金属ベース１２の下面１８全域に固着された所定面積および所定厚みのグラスウール３９とグラスウール３９の非対向面４１全域に固着された所定面積および所定厚みのガラスクロス１４ｂとが吸音機能および断熱機能を有して吸音層３５および断熱層３６を形成するから、デッキプレート１０Ｃに吸音機能および断熱機能を付与することができ、デッキプレート１０Ｃを利用することで吸音効果および断熱効果を発揮する天井スラブ１１ａや壁１１ｂを構築することができるとともに、鉄筋コンクリート建造物の遮音性や保温性を向上させることができる。
【符号の説明】
【００７２】
１０Ａ  デッキプレート
１０Ｂ  デッキプレート
１０Ｃ  デッキプレート
１１ａ  天井スラブ
１１ｂ  壁
１２    金属ベース
１３    鉄筋トラス
１４ａ  壁紙
１４ｂ  ガラスクロス
１５ａ，ｂ  両側縁部
１６ａ，ｂ  両端縁部
１７    上面
１８    下面
１９    第１係合部
２０    第２係合部
２１    凸部
２２    上端筋
２３    下端筋
２４ａ  第１ラチス筋
２４ｂ  第２ラチス筋
２５    上端凸部
２６    中間部
２７    下端凹部
２８    屈曲部分
２９    縦織物
３０    横織物
３１    対向面
３２    非対向面
３３    天井面
３４    反射面
３５    吸音層
３６    断熱層
３７    コンクリート
３８ａ  天井光源
３８ｂ  壁光源
３９    グラスウール
４０    対向面
４１    非対向面（下面）
【図１】
2019123996.tif 000003
【図２】
2019123996.tif 000004
【図３】
2019123996.tif 000005
【図４】
2019123996.tif 000006
【図５】
2019123996.tif 000007
【図６】
2019123996.tif 000008
【図７】
2019123996.tif 000009
【図８】
2019123996.tif 000010
【図９】
2019123996.tif 000011
【図１０】
2019123996.tif 000012
【図１１】
2019123996.tif 000013
【図１２】
2019123996.tif 000014